(57)【特許請求の範囲】
【請求項１】
一体成形された合成樹脂からなるシェルと、シェルの上にあるクッションと、クッションを覆う張り地とを備えた椅子の座に適用される絞り部材収納構造であって、
前記張り地を絞るために設けられた絞り部材と、前記シェルに設けられ当該張り地を絞った際に生じる絞り部材の余剰部分を前記シェルの内部に収納するための孔部とを具備することを特徴とする絞り部材収納構造。
【請求項２】
シェルと、シェルの上にあるクッションと、クッションを覆う張り地とを備えた椅子の座に適用される絞り部材収納構造であって、
前記張り地を絞るために設けられた絞り部材と、前記シェルに設けられ前記張り地を絞った際に生じる絞り部材の余剰部分を引っかけるための引っかけ部と、前記シェルに設けられ当該引っかけ部から案内される絞り部材の余剰部分をシェルの内部に収納するための孔部とを具備することを特徴とする絞り部材収納構造。
【請求項３】
シェルと、シェルの上にあるクッションと、クッションを覆う張り地とを備えた椅子の座に適用される絞り部材収納構造であって、
前記張り地を絞るために設けられた絞り部材と、前記張り地を絞った際に生じる絞り部材の余剰部分を集合させるためのクリップと、前記シェルに設けられ前記クリップから案内される絞り部材を引っかけるための引っかけ部と、前記シェルに設けられ当該引っかけ部から案内される絞り部材の余剰部分をシェルの内部に収納するための孔部とを具備することを特徴とする絞り部材収納構造。
【請求項４】
シェルと、シェルの上にあるクッションと、クッションを覆う張り地とを備えた椅子の座に適用される絞り部材収納構造であって、
前記張り地を絞るために設けられた絞り部材と、前記張り地を絞った際に生じる絞り部材の余剰部分を集合させるためのクリップと、前記シェルに設けられ前記クリップから案内される絞り部材を引っかけるための引っかけ部と、前記シェルにおける前記張り地の絞り部材を通す部分の開口部と前記クリップとの間に設けられた留め具と、前記シェルに設けられ当該引っかけ部から案内される絞り部材の余剰部分をシェルの内部に収納するための孔部とを具備することを特徴とする絞り部材収納構造。
【請求項５】
前記シェルは、前記クッションとの境界部分をなす内側面に、強度を補強するためのリブが設けられているものである請求項１、２、３または４記載の絞り部材収納構造。
【請求項６】
前記シェルは、前記クッションとの境界部分をなす内側面に、升目型構造をなすリブが設けられているものであり、前記孔部は、前記シェルにおける前記リブの升目に設けるようにしたものである請求項１、２、３、４または５記載の絞り部材収納構造。
【請求項７】
ベース脚と、このベース脚に取り付けられた支基と、この支基に支持された背及び座とを備えているものであって、
前記座に請求項１、２、３、４、５または６記載の絞り部材収納構造を適用した椅子。
【発明の詳細な説明】
【０００１】
【発明の属する技術分野】
本発明は、事務用機器等の表面を張り地で覆って使用する場合にその張り地を固定するための構造に関するものである。
【０００２】
【従来の技術】
従来から椅子等の事務用機器として、背座部分を張り地で覆って使用するものが存在していた。このようなものにおいては、背座部分のクッションに張り地をかけて、張り地の端部に設けられた筒状の部分に通されたひもを絞って固定していることが多い。そしてひもの余剰部分は、ぶら下がった状態にしておくか、もしくは、張り地の奥に押し込む方法や張り地に設けられた孔部に差し込んで入れる方法、またはひもを引っかけるための引っかけ部に止めるなどの方法がとられていた。
【０００３】
【発明が解決しようとする課題】
ところが、上記のような方法を採ると、ひもをクリップでまとめたとしても余剰のひもが椅子から垂れ下がることによって美観を損なうことになっていた。
【０００４】
【課題を解決するための手段】
上記の課題を解決するために、張り地を絞るために設けられた絞り部材と、シェルに設けられ当該張り地を絞った際に生じる絞り部材の余剰部分を前記シェルの内部に収納するための孔部とを具備する絞り部材収納構造を、張り地で覆って使用する椅子の座に設ける。
【０００５】
このように絞り部材の余剰部分をシェルの内部に収納するための孔部をシェルに設けたことにより、絞り部材の余剰部分の垂れ下がりを防止することができ、外観をよくすることができる。
【０００６】
また、前記張り地を絞るために設けられた絞り部材と、前記シェルに設けられ前記張り地を絞った際に生じる絞り部材の余剰部分を引っかけるための引っかけ部と、前記シェルに設けられ当該引っかけ部から案内される絞り部材の余剰部分をシェルの内部に収納するための孔部とを具備する絞り部材収納構造をとる。
【０００７】
こうすることで絞り部材の余剰部分が引っかけ部によって固定されるため、張り地が動くことにより、孔部に収納されている余剰の絞り部材が引っ張られて垂れ下がってくることを防止することができる。
【０００８】
さらに、余剰絞り部材を引っかけるための引っかけ部、余剰絞り部材を収納するための孔部に加えて、張り地を絞った際に生じる絞り部材の余剰部分を集合させるためのクリップを具備してもよい。
【０００９】
こうすることで、絞り部材を絞って、張り地を固定することが容易になる。
【００１０】
さらに、張り地に絞り部材を通す部分の開口部とクリップとの間に留め具を設けてもよい。
【００１１】
こうすることで、余剰の絞り部材が、その自重やクリップの重みによって垂れ下がることを防止できる。
【００１２】
さらに、前記シェルは、前記クッションとの境界部分をなす内側面に、強度を補強するためのリブが設けられているものが望ましい。
【００１３】
また、前記シェルは、前記クッションとの境界部分をなす内側面に、升目型構造をなすリブが設けられているものであり、前記孔部は、前記シェルにおける前記リブの升目に設けるようにしたものであることが好適である。
【００１４】
【発明の実施の形態】
以下、本発明の一実施形態を、図１から図３を参照して説明する。図１は本実施形態に示される椅子Ａの全体側面図であり、図２は当該椅子Ａの座３のシェル４の下面からの斜視図であり、図３は図２に対応する前端部分を拡大した余剰ひも収納部７の下方からの拡大斜視図である。
【００１５】
この実施形態における椅子Ａはベース脚１とこのベース脚１に取り付けられた支基２と、この支基２に支持された背５及び座３を備えているものである。
【００１６】
座３部分は、金型によって一体成形された合成樹脂からなる座３のシェル４と、スポンジ等の伸縮性のある部材からなるクッション４０と、クッション４０を覆う布の三層から構成されている。当該座３のシェル４の内側面即ち、クッション４０とシェル４との境界部分には、シェル４の強度を補強するために、升目型構造を有するリブ４１が設けられている。
【００１７】
この座３のクッション４０を覆う布の上に設けられた張り地９は、その端部にひもを通すための筒状部分を構成し、その部分にひも１０を通し、そのひも１０を絞ることによって固定するものである。そして、その絞ることによって生じたひも１０の余剰部分は、シェル４の底面４ｃすなわち露出側面に設けられた余剰ひも収納部７に収納される。
【００１８】
この余剰ひも収納部７は、座３のシェル４の底面４ｃ前方部分４０における略中央部分を略縦長長方形に陥没させた陥没部１５と、陥没部１５の前方に、互いに向かい合うように設けられた一対のＬ字型またはＪ字型の留め具１２と、陥没部１５の後方に設けられた余剰ひも１０を収納するのに十分な大きさを有する孔部１４とを設け、更に、留め具１２と孔部１４との間に設けられたひも１０を引っかけるための引っかけ部１３を設けている。
【００１９】
この収納部７を構成する陥没部１５は、略縦長状に設けられたものであり、そのシェル４の前端垂直面４ａに開口部４ｂを設けるように構成したものである。なお、この開口部４ｂは、ひも１０を傷つけないように開口部分とその境界面に一定の丸みを設けており、これによって、ひも１０の接触部分における摩耗を防止するようにしている。
【００２０】
この開口部４ｂに設けられた留め具１２は、互いに向かい合う内側面の下側に水平面を有するＬ字型の二平面によって構成したものであり、また外側面についても、左右の留め具１２ａ、１２ｂの先端部１２ｃ、１２ｄに向けて、肉厚が薄くなるように湾曲させた平面によって構成したものである。この二つの留め具１２ａ、１２ｂは、陥没部１５の前方に、左右の留め具１２ａ、１２ｂの向かい合う先端部１２ｃ、１２ｄの間隔が、ひも１０の直径よりもやや狭くなるように設置している。なお、この留め具１２から案内されたひも１０は、クリップ１１によって集合させられており、引っかけ部１３を介して固定されている。
【００２１】
この引っかけ部１３は、ヘアピン形状に構成し、そのヘアピンの隙間間隔は、ひも１０の直径よりも狭く設定されている。そして、そこにひも１０を通すことによって、ひも１０は固定されることになる。
【００２２】
孔部１４は、余剰ひも１０を収納するための径を有する大きさに設定されており、また、余剰ひも１０をシェル４の内部に収納できるように、シェル４のリブ４１の升目に設けるようにしている。
【００２３】
次に、この座３部分の余剰ひも収納部７に、ひも１０を収納する場合について説明する。
【００２４】
まず、張り地９にひも１０を通し、この状態で張り地９の開口部９ａが、座３部分の余剰ひも収納部７の開口部４ｂにくるようにセットする。
【００２５】
そして、このクリップ１１と張り地９の開口部９ａとの間にある一方のひも１０ａを右側の留め具１２ａにかけ、他方のひも１０ｂを左側の留め具１２ｂにかける。
【００２６】
その後、ひも１０をクリップ１１で絞ることによって、椅子Ａに張り地９を張った状態にする。なお、この場合、留め具１２ａの先端部１２ｃ、１２ｂの先端部１２ｄの間隔をひも１０の直径よりも狭く設定しているため、ひも１０が留め具１２で囲まれた領域からはずれにくく、ひも１０が自重及びクリップ１１の重量により垂れ下がることを防止できる。
【００２７】
さらに、そのクリップ１１から案内される余剰のひも１０ｃを引っかけ部１３に引っかける。なお、引っかけ部１３のヘアピン形状の隙間間隔は、ひも１０の直径よりも、狭く設定されているので、ひも１０が固定されることになる。これによって、孔部１４に収納した余剰ひも１０が、張り地９の動きによって引っ張られることを防止でき、また、ひも１０が孔部１４から落ちるということを防止できる。
【００２８】
そして、最後に引っかけ部１３から案内される余剰のひも１０ｄを、まとめて陥没部１５の後方に設けた孔部１４の中に収納する。この場合、孔部１４は、シェル４の内側面のリブ４１の升目に設けられており、余剰ひも１０を収納するのに十分な大きさを有しているから、余剰ひも１０は、外からは見えにくくなり、椅子の外観を損なうことはなくなる。
【００２９】
以上の状態から、仮に張り地９が強くひっぱられて引っかけ部１３に引っかけられたひも１０が前方にずれたとしても、クリップ１１と張り地９の開口部９ａとの間に留め具１２があるから、クリップ１１が留め具１２に当たり、それ以上ひもが前方にずれにくくなる。したがって、それ以上のひも１０のずれを防止することができ、ひも１０の落下を防止することができる。
【００３０】
なお、各部の具体的構成は、上記実施形態に限られるものではなく、本発明の趣旨を逸脱しない範囲で種々変形が可能である。
【００３１】
たとえば本実施形態に用いた留め具１２の代わりに、内側平面がＪ字型のものを使用することも考えられる。また本実施形態では余剰ひも収納部７を陥没部１５に設けたが、その代わりに、余剰ひも収納部を座の裏面に陥没させずに設けることも可能である。
【００３２】
さらに本実施形態においては余剰ひも収納部７を座３に一体のものとして設けたが、座３とは別体のものとして、余剰ひも収納部を独立させて構成し、それを椅子の座３に取り付けるという態様も考えられる。
【００３３】
また、本実施形態では絞り部材としてひも１０を用いたが、これはひもに限らず、ゴムなどおよそ絞るための部材として用いることができるものであればよい。
【００３４】
以上説明した実施形態において、張り地を絞るために設けられた絞り部材と、当該張り地を絞った際に生じる絞り部材の余剰部分を収納するために設けられた収納部とを、設けることによって、絞り部材の余剰部分を収納することができ、余剰部分が垂れ下がることを防止することができる。
【００３５】
また、張り地を絞るために設けられた絞り部材と、張り地を絞った際に生じる絞り部材の余剰部分を引っかけるための引っかけ部と、当該引っかけ部から案内される絞り部材を収納するための孔部からなる余剰絞り部材収納構造とする。
【００３６】
これによって絞り部材を引っかけ部に引っかけて固定することが可能となり、張り地が動くことによって、絞り部材が前方に引っ張られて、孔部に収納した絞り部材が垂れ下がることを防止することができる。
【００３７】
さらに余剰の絞り部材を引っかけるための引っかけ部、余剰の絞り部材を収納するための孔部に加えて、クリップに絞り部材を通すことによって、絞り部材を、絞ることが容易になる。
【００３８】
また、引っかけ部、孔部に加え、絞り部材をまとめるためのクリップと張り地に絞り部材を通す部分の開口部との間に、留め具を設けることによって、クリップの自重で余剰絞り部材が垂れ下がることを防止することができる。さらに張り地が動くことにより絞り部材が引っ張られて引っかけ部からずれても、クリップが留め具に当たるので、それ以上は引っ張られにくくなり、孔部のひもが垂れ下がってくることも防止できる。
【００３９】
さらに、引っかけ部、留め具、孔部の少なくとも一つを陥没部に設けることによって、余剰絞り部材と余剰絞り部材収納構造を、外観上いっそう目立たなくすることができる。
【００４０】
【発明の効果】
本発明は、上述のような構成であるから、絞り部材の余剰部分を収納することができ、余剰部分が垂れ下がることを防止することができる。
【図面の簡単な説明】
【図１】  本実施形態に示される椅子の全体側面図。
【図２】  本実施形態に示される椅子の座裏面の下方からの斜視図。
【図３】  図２に対応する座裏面の余剰絞り部材収納部の下方からの拡大斜視図。
【符号の説明】
７・・・余剰ひも収納部（余剰絞り部材収納構造）
９・・・張り地
９ａ・・・開口部
１０、１０ａ、１０ｂ、１０ｃ、１０ｄ・・・ひも（絞り部材）
１１・・・クリップ
１２・・・留め具
１３・・・引っかけ部
１４・・・孔部
１５・・・陥没部
【図１】
0004497701.tif 000002
【図２】
0004497701.tif 000003
【図３】
0004497701.tif 000004